(57)【要約】【課題】分散型火災報知システムに用いられる火災受信機において、主中継器の異常内容を一見しただけで、ユーザが、異常内容を認識し易く、異常内容を素早く特定することができ、利便性に優れている火災受信機を提供することを目的とする。【解決手段】信号線を介して火災感知器等の端末機器と接続される複数の分散処理用の主中継器を設け、伝送線を介して、上記主中継器と火災受信機とが接続され、上記複数の主中継器と上記火災受信機とが防災情報を交信する分散型火災報知システムにおいて、上記複数の主中継器に関する異常情報を表示する表示手段と、上記表示手段の画面上に、上記異常情報を分類化して代表表示する表示制御部とを有する火災受信機である。【選択図】図１
2008234105.tif 000002
【特許請求の範囲】
【請求項１】
信号線を介して火災感知器等の端末機器と接続される複数の分散処理用の主中継器を設け、伝送線を介して、上記主中継器と火災受信機とが接続され、上記複数の主中継器と上記火災受信機とが防災情報を交信する分散型火災報知システムにおいて、
上記複数の主中継器に関する異常情報を表示する表示手段と；
上記表示手段の画面上に、上記異常情報を分類化して代表表示する表示制御部と；
を有することを特徴とする火災受信機。
【請求項２】
請求項１において、
スイッチ操作によって、上記異常情報の異常詳細一覧を切替表示することを特徴とする火災受信機。
【請求項３】
請求項１において、
上記表示制御部は、上記分類化表示されている項目をタッチ操作することによって、上記項目の異常詳細一覧を切替表示する手段であることを特徴とする火災受信機。
【発明の詳細な説明】
【技術分野】
【０００１】
本発明は、分散型火災報知システムに用いられる火災受信機に関する。
【背景技術】
【０００２】
従来、信号線を介して火災感知器等の端末機器と接続される複数の分散処理用の主中継器と、１つの火災受信機とを伝送線で接続し、上記火災受信機と上記複数の主中継器との間で、防災情報を交信する分散型火災報知システムが知られている（たとえば、特許文献１参照）。
【０００３】
上記従来の火災受信機は、主中継器から防災情報と同様に異常情報を受信し、この受信した防災情報や異常情報を表示部に表示する。ここで、端末機器に関する異常情報は種別毎（火災感知器、ガス漏れ検知器、防火戸等の端末装置毎）に分類化して画面上に表示されるが、それ以外の主中継器に関する異常情報は、「主中継器異常」として代表表示されるだけである。そして、異常内容を知りたい場合、複雑なスイッチ操作で画面切替を行い、異常詳細一覧を画面表示させている。
【特許文献１】特開平５−２１７０８８号公報
【発明の開示】
【発明が解決しようとする課題】
【０００４】
つまり、上記従来例では、異常内容を知りたい場合、次の３段階の操作を必要とする。すなわち、上記従来例では、火災受信機の保守ボタン、リスト表示ボタン、異常一覧スイッチの３つのスイッチを順に押す必要があり、複雑なスイッチ操作を必要とする。
【０００５】
上記従来例では、上記のように、複雑な多くのスイッチ操作を必要とし、また、一覧表示であるので、一見しただけでは、異常内容が判り難い等の理由によって、異常内容の特定に時間がかかり、利便性に欠けるという問題がある。
【０００６】
本発明は、分散型火災報知システムに用いられる火災受信機において、主中継器の異常内容を一見しただけで、ユーザが、異常内容を認識し易く、異常内容を素早く特定することができ、利便性に優れている火災受信機を提供することを目的とする。
【課題を解決するための手段】
【０００７】
本発明は、信号線を介して火災感知器等の端末機器と接続される複数の分散処理用の主中継器を設け、伝送線を介して、上記主中継器と火災受信機とが接続され、上記複数の主中継器と上記火災受信機とが防災情報を交信する分散型火災報知システムにおいて、上記複数の主中継器に関する異常情報を表示する表示手段と、上記表示手段の画面上に、上記異常情報を分類化して代表表示する表示制御部とを有する火災受信機である。
【発明の効果】
【０００８】
本発明によれば、分散型火災報知システムに用いられる火災受信機において、主中継器の異常内容を一見しただけで、ユーザが、異常内容を認識し易く、異常内容を素早く特定することができ、利便性に優れているという効果を奏する。
【発明を実施するための最良の形態】
【０００９】
発明を実施するための最良の形態は、次の実施例である。
【実施例１】
【００１０】
図１は、本発明の実施例１である分散型火災報知システムＳＡ１を示す図である。
【００１１】
分散型火災報知システムＳＡ１は、１つの火災受信機ＲＥ１と、２つの主中継器ＬＭ１、ＬＭ２と、端末機器群ＴＧ０、ＴＧ１、ＴＧ２とを有する。なお、１つの火災受信機ＲＥ１に、３つ以上の主中継器が接続されるようにしてもよい。
【００１２】
火災受信機ＲＥ１が１つ設けられ、伝送線Ｌ１１を介して、複数の主中継器ＬＭ１、ＬＭ２が火災受信機ＲＥ１に接続されている。火災受信機ＲＥ１、複数の主中継器ＬＭ１、ＬＭ２は、それぞれ、ホスト機器の例である。伝送線Ｌ１１は、中央幹線としてのＬＡＮ幹線の例である。
【００１３】
また、端末機器群ＴＧ０が、複数の端末機器によって構成され、この端末機器群ＴＧ０が、信号線Ｌ０を介して、火災受信機ＲＥ１に接続されている。複数の端末機器によって構成されている端末機器群ＴＧ１が、信号線Ｌ１を介して、主中継器ＬＭ１に接続されている。複数の端末機器によって構成されている端末機器群ＴＧ２が、信号線Ｌ２を介して、主中継器ＬＭ２に接続されている。
【００１４】
火災受信機ＲＥ１に、メッセージ表示機群ＤＧ０が接続され、主中継器ＬＭ１に、メッセージ表示機群ＤＧ１が接続され、主中継器ＬＭ２に、メッセージ表示機群ＤＧ２が接続されている。また、火災受信機ＲＥ１、主中継器ＬＭ１、ＬＭ２のそれぞれに、ＮＩＵ基板（ホスト接続用基板）Ｂ５が設けられ、各ＮＩＵ基板（ホスト接続用基板）Ｂ５がＬＡＮ幹線Ｌ１１によって接続されることによって、火災受信機ＲＥ１、主中継器ＬＭ１、ＬＭ２が互いに接続されている。
【００１５】
さらに、火災受信機ＲＥ１に、ＬＣＤ３０（図３参照）と、ＭＣＵ基板２０（図３参照）とが設けられている。
【００１６】
つまり、分散型火災報知システムＳＡ１は、信号線を介して火災感知器等の端末機器と接続される複数の分散処理用の主中継器を設け、伝送線を介して、上記主中継器と火災受信機とが接続され、上記複数の主中継器と上記火災受信機とが防災情報を交信する分散型火災報知システムの例である。
【００１７】
図２は、分散型火災報知システムＳＡ１に使用されている火災受信機ＲＥ１と、各種機器との接続を示す図である。
【００１８】
火災受信機ＲＥ１には、端末機器群ＴＧ０、主中継器ＬＭ１、ＬＭ２、メッセージ表示機群ＤＧ０（メッセージ表示機Ｄ１、Ｄ２、…、Ｄ３１）が接続されている。
【００１９】
端末機器群ＴＧ０は、端末として、差動式スポット型感知器ＳＥ１と、光電式スポット型感知器ＳＥ２と、熱アナログ感知器ＳＥ３と、光電式アナログ感知器ＳＥ４と、アドレッサブル発信機ＳＥ５と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、信号線Ｌ０（１系統）を介して、火災受信機ＲＥ１に接続されている。
【００２０】
差動式スポット型感知器ＳＥ１は、いわゆる熱感知器であって、火災による熱（温度上昇）を検出して火災と判別されるときに、火災信号を送信する。光電式スポット型感知器ＳＥ２は、いわゆる煙感知器であって、火災による煙を検出して火災と判別されるときに、火災信号を送信する。熱アナログ感知器ＳＥ３は、熱感知器の一種であって、火災による熱を検出するために、周囲温度のアナログ値を送信する。
【００２１】
光電式アナログ感知器ＳＥ４は、煙感知器の一種であって、煙のアナログ値を送信する。アドレッサブル発信機ＳＥ５は、いわゆる火災発信機であって、火災の発見者が手動操作する押しボタンを備え、火災信号を送信する。
【００２２】
ショートサーキットアイソレータＳＣＩは、後段の信号線Ｌ０の短絡発生時に、後段の信号線Ｌ０を切り離す装置であって、通常、信号伝送の必要はないが、火災受信機ＲＥ１からの復旧信号を受信し、復旧するものもある。ここでは、後段の信号線Ｌ０の短絡解消時に、回復信号を送信する。
【００２３】
防排煙制御用中継器Ｃ１は、火災受信機ＲＥ１からの制御信号を受信し、接続される防排煙機器ＤＳ１を制御する。火災監視用中継器Ｃ２、Ｃ３は、信号線を介して一般型感知器ＳＥ６、ＳＥ７または火災発信機Ｇ１、Ｇ２が接続され、それらからの火災信号（スイッチング動作）を受信して、火災信号を送信する。火災監視用中継器Ｃ２は、自動試験機能付火災感知器を接続することができる。
【００２４】
地区音響制御用中継器Ｃ４は、火災受信機ＲＥ１からの制御信号を受信し、接続されている地区ベルＢＬを鳴動させる。ガス漏れ検知用中継器Ｃ５は、信号線を介してガス漏れ検知器ＳＥ９が接続され、信号（スイッチング動作）を受信して、ガス漏れ信号を送信する。
【００２５】
防排煙制御用中継器Ｃ６は、防排煙制御用中継器Ｃ１と同様である。中継器Ｃ７は、従来の中継器である。火災監視用中継器Ｃ８は、火災監視用中継器Ｃ３と同様である。
【００２６】
端末機器群ＴＧ１、ＴＧ２の構成は、端末機器群ＴＧ０の構成と同様である。
【００２７】
図３は、火災受信機ＲＥ１を示すブロック図である。
【００２８】
火災受信機ＲＥ１は、ＰＳＵ基板１０と、プリンタＰＲ１と、ＮＩＵ基板（ホスト接続用基板）Ｂ５と、ＭＣＵ基板２０と、スピーカＳＰ１と、インバータＩＮＶ１と、タッチパネルＴＰとして作用するＬＣＤ３０と、電話ジャックＪ１と、ＣＴＵ基板（伝送基板）Ｂ６と、ＡＣ／ＤＣコンバータＣＶ１と、予備電源ＢＴ１と、ベル（音響）ＢＬ１とを有する。
【００２９】
ＰＳＵ基板１０は、ＡＣ／ＤＣコンバータＣＶ１によってＡＣ１００Ｖから生成された直流電圧、ＤＣ２４Ｖを各基板１０、２０、Ｂ５、Ｂ６に電源供給する基板であり、また、シリアル通信線を介して、メッセージ表示機群ＤＧ０と接続され、また、音響線（ＢＣ、ＢＦ）を介して、ベルＢＬ１と接続される。ＭＣＵ基板２０は、主制御ユニット基板であり、表示部・メイン処理用の基板であり、メモリカードＭＣ１が挿入、接続される。
【００３０】
ＮＩＵ基板Ｂ５は、ホスト接続用基板であり、伝送線Ｌ１１を介して、ホスト機器（主中継器ＬＭ１、ＬＭ２）と接続される基板である。インバータＩＮＶ１は、ＬＣＤ３０のバックライトを駆動する電源を制御するものである。
【００３１】
ＣＴＵ基板Ｂ５は、端末機器群ＴＧ０と接続する伝送基板であり、信号線Ｌ０（Ｓ＋、Ｓ−）を制御する。
【００３２】
ＡＣ／ＤＣコンバータＣＶ１は、商用交流電源ＡＣ１００Ｖを所定の直流電圧、ＤＣ２４Ｖの電源電圧に変換してＰＳＵ基板１０に出力するものである。予備電源ＢＴ１としてのバッテリは、常時、ＰＳＵ基板１０を介してＡＣ１００Ｖから、トランス、充電回路を介して充電され、ＡＣ１００Ｖの停電時に、ＡＣ／ＤＣコンバータＣＶ１の代わりに、直流電圧ＤＣ２４ＶをＰＳＵ基板１０に供給する。
【００３３】
なお、図３に示すように、ＰＳＵ基板１０の電源部（ＡＣ／ＤＣコンバータＣＶ１および予備電源ＢＴ１）からの電源電圧ＤＣ２４Ｖは、電源線を介して、各基板１０、２０、Ｂ５、Ｂ６に電源供給される。
【００３４】
ここで、ＭＣＵ基板２０、ＮＩＵ基板Ｂ５、ＣＴＵ基板Ｂ６は、電源部（不図示）が設けられ、ＰＳＵ基板１０からの電源電圧ＤＣ２４Ｖは、各電源部に電源供給され、各電源部が必要な電源電圧（ＤＣ２４Ｖ、ＤＣ５Ｖ等）を生成し、内部回路等へ電源供給する。
【００３５】
また、ＰＳＵ基板１０、ＭＣＵ基板２０、ＮＩＵ基板Ｂ５、ＣＴＵ基板Ｂ６は、上記電源部の他に、Ａ／Ｄ変換部、ＲＯＭ、ＲＡＭを内部に有するマイコン（ＣＰＵ）が搭載されている。
【００３６】
そのため、ＰＳＵ基板１０、ＭＣＵ基板２０、ＮＩＵ基板Ｂ５、ＣＴＵ基板Ｂ６は、各電源部から供給される必要な電源電圧（ＤＣ２４Ｖ、ＤＣ５Ｖ、等）を、既知の抵抗分割回路等を介して、各マイコンに取り込んで、自己の電源電圧値を計測してＲＡＭに格納することができる。
【００３７】
ここで、ＰＳＵ基板１０の電源部は、電源電圧ＤＣ２４Ｖから、プリンタＰＲ１の電源電圧ＤＣ５Ｖを生成し、プリンタＰＲ１に供給し、このプリンタＰＲ１への電源電圧値をも、上記と同様な構成でマイコンに取込み計測し、ＲＡＭに格納する。
【００３８】
また、ＭＣＵ基板２０も同様に、電源電圧ＤＣ２４Ｖから、ＬＣＤ３０の電源電圧ＤＣ５Ｖを生成し、ＬＣＤ３０に供給し、このＬＣＤ３０への電源電圧値をも、上記と同様な構成でマイコンに取込み計測し、ＲＡＭに格納する。
【００３９】
ＬＣＤ３０は、複数の主中継器に関する異常情報を表示する表示手段の例である。ＭＣＵ基板２０は、表示手段の画面上に、異常情報を分類化して代表表示する表示制御部の例である。
【００４０】
図４は、主中継器ＬＭ１を示すブロック図である。
【００４１】
主中継器ＬＭ１は、図３に示す火災受信機ＲＥ１の構成から、表示操作部（ＬＣＤ／ＴＰ３０）とスピーカＳＰ１とインバータＩＮＶ１とを省略した構成である。
【００４２】
主中継器ＬＭ２の構成は、主中継器ＬＭ１の構成と同様である。
【００４３】
図５は、火災受信機ＲＥ１の表示操作部（ＬＣＤ／ＴＰ３０）を示す図である。
【００４４】
図５（１）は、ＬＣＤ３０に表示されている代表異常表示の例を示す図である。
【００４５】
ＬＣＤ３０に主中継器ＬＭ１、ＬＭ２の代表異常表示をする場合、図５（１）に示すように、異常一覧画面３１が表示され、分類化された異常代表表示項目３１２のうちで、異常である項目が、図５（１）では、長円で囲まれる。異常である項目は、実際の機器では、黄色で表示される。図５（１）では、「主信号短絡」、「ヒューズ」、「コネクタ」、「内部伝送」、「表示機」、「システムＤＢ」、「カード無し」、「予備電源」が異常であるとして表示されている。したがって、この段階で、主中継器ＬＭ１、ＬＭ２のどの項目が異常であるかをユーザは容易に認識することができる。
【００４６】
図５（２）は、ＬＣＤ３０に表示されている異常詳細一覧表示（システム監視一覧）を示す図である。
【００４７】
図５（１）に示す状態で、異常詳細箇所を知るために、システム監視タブ３１１をユーザが指定すると、ＬＣＤ３０に、システム監視一覧画面３２が表示され、異常詳細一覧が、表示される。図５に示すように、異常項目の詳細と共に、主中継器のノード番号、名称が表示されるので、異常の主中継器を特定することができる。
【００４８】
つまり、主中継器の異常情報を分類化して代表表示する画面（図中の異常一覧画面３１）を有し、タブ３１１操作することによって、異常詳細一覧表示する画面（図中のシステム監視一覧画面３２）に切替表示される。
【００４９】
図６は、異常代表表示する項目３１２と、異常代表表示する項目３１２に対応する異常詳細箇所（異常内容）とを示す図である。異常代表表示項目３１２は、ここでは１３種類であり、図６では、火災受信機ＲＥ１についても、異常判断して、異常代表表示する例である。
【００５０】
従来の機器では、分散システムの受信機に接続されている主中継器内部の詳細異常は、複雑なスイッチ操作をしなければ、一覧で表示することができず、また、端末系以外のシステム異常の代表表示は、「主中継器異常」のみであり、異常箇所の特定に時間がかかり、利便性に欠けていた。
【００５１】
火災受信機ＲＥ１では、図５（２）に示すように、異常の詳細箇所を表示するだけではなく、図５（１）、図６に示すように、異常代表表示する項目３１２を、ある程度分類化して表示する（異常詳細箇所に対応する異常代表表示項目３１２を表示する）ので、異常箇所を素早く特定することができ、対応した所定の交換部品を用意することができ、メンテナンス性が向上している。
【００５２】
図７は、主中継器ＬＭ１、ＬＭ２において、異常情報に関する動作を示すフローチャートである。
【００５３】
まず、Ｓ１で、各種異常の発生の有無を判断する。Ｓ２で、異常があると判断されれば、Ｓ３で、異常情報を、ＭＣＵ基板２０のＲＡＭに格納し、Ｓ４で、異常情報をＬＡＮ幹線Ｌ１１に送出する。
【００５４】
図８は、実施例１における火災受信機ＲＥ１の動作を示すフローチャートである。
【００５５】
Ｓ１１で、異常情報の受信の有無を判断し、異常情報を受信すれば、Ｓ１２で、異常情報をＲＡＭに格納し、Ｓ１３で、「異常一覧」タブ３１３の選択状態になり、つまり、図５（１）に示すように、異常一覧画面３１を表示し、格納した異常情報に対応した異常代表表示項目３１２、たとえば「ヒューズ」項目３１２を長円（斜線部分）で囲む。Ｓ１４で、「システム監視」タブ３１１の選択状態であるかどうかを判断し、システム監視タブ３１１がオン操作されたと判断されれば、Ｓ１５で、図５（２）に示すように、システム監視一覧画面３２を表示し、格納した異常情報に対応する異常詳細一覧を表示する。そして、Ｓ１６で、異常一覧のタブ３１３がＯＮであるか、ＯＦＦであるかを判断し、ＯＦＦであれば、Ｓ１５に戻り、ＯＮであれば、Ｓ１３に戻る。なお、図７、図８のフローチャートでは、主中継器ＬＭ１、ＬＭ２が異常発生を判断し、異常情報を送出し、火災受信機ＲＥ１が異常情報を受信するが、図６の異常代表表示項目３１２の「システムＤＢ」、「ノード無し」については、以下のように、火災受信機ＲＥ１側で、異常発生を判断する。
【００５６】
つまり、「システムＤＢ」については、主中継器ＬＭ１、ＬＭ２が立ち上げ時にメモリカードＭＣ１内のシステムデータベースのＳＵＭ値を送出し、火災受信機ＲＥ１が受信し、火災受信機ＲＥ１内のシステムデータベースのＳＵＭ値と一致しているか否かを判断する。また、「ノード無し」については、火災受受信機ＲＥ１が、主中継器ＬＭ１、ＬＭ２に存在確認通知を定期的に要求し、主中継器ＬＭ１、ＬＭ２から応答があるか否かを判断する。
【００５７】
また、図７、図８に示すフローチャートでは省略してあるが、発生した異常が復旧すると、主中継器ＬＭ１、ＬＭ２は、異常復旧情報を送出し、火災受信機ＲＥ１は、異常復旧情報を受信し、ＲＡＭ内の対応する異常情報の異常フラグをオフするので、異常一覧画面３１、システム監視一覧画面３２では、対応する異常表示が消去される。
【００５８】
図９は、従来例における異常表示と、実施例１における異常表示とを比較して示す図である。
【００５９】
従来例であれば、代表表示１点のみを表示し、たとえば、「主中継器異常」のみを表示する。上記実施例では、代表表示を分類して表示し、たとえば、ノード無し、コネクタ、ヒューズ断、メモリ、………等、ある程度、具体的に表示されるので、異常内容を素早く特定することができる。
【００６０】
なお、上記実施例において、異常一覧画面３１の表示状態で、異常である異常代表表示項目３１２をタッチ操作することによって、上記項目のみの異常詳細一覧に切換表示するように構成してもよい。
【００６１】
図１０は、システム監視一覧画面の変形例を示す図である。
【００６２】
たとえば、図５（１）に示す状態で、異常である「ヒューズ」項目３１２の異常詳細箇所を知るために、「ヒューズ」項目３１２を、ユーザがタッチ操作して指定すると、ＬＣＤ３０に、図１０に示すシステム監視一覧画面３２が表示され、ユーザに指定された「ヒューズ断」項目３１２のみに関する異常詳細一覧が表示される。このようにすれば、所定の異常代表表示項目３１２の異常数を知ることができるので、対応して用意する所定の交換部品の数を容易に知ることができる。
【００６３】
また、上記実施例において、システム監視一覧画面３２の表示状態で、「主中継器のノード番号」をタッチ操作することによって、上記ノード番号毎にソートし、異常詳細一覧を表示するようにしてもよい。この場合、タッチ操作されたノード番号の主中継器の異常詳細一覧を、システム監視一覧画面３２の最上部に表示するようにすることもできる。このようにすれば、所定の主中継器毎の異常項目を知ることができるので、対応して用意する交換部品の種類を容易に知ることができ、主中継器毎のメンテナンス作業が容易である。
【００６４】
また、上記２つの変形例も含めた上記実施例において、システム監視一覧画面３２は、「主中継器のノード番号」、「主中継器名称」、「異常項目詳細」を表示することによって、各異常情報を異常詳細表示し、さらに、各異常情報を行分けして一覧表示するが、ノード番号毎に、対応する異常情報の異常詳細表示の行を、たとえば、異なる色で色分けする等によって、識別可能に表示形態を異ならせるようにしてもよい。または、異常項目毎に、対応する異常情報を示す異常詳細表示の行を、識別できるように表示形態を異ならせるようにしてもよい。このようにすれば、異常内容詳細をより一層認識し易い。
【００６５】
そして、システム監視一覧画面３２において、異常項目毎に、対応する異常情報を示す異常詳細表示の行を、異なる色で色分けし、異常一覧画面３１においても、異常である異常代表表示項目３１２を、上記と同様に、対応する色（互いに異なる色）で色分け表示すれば、画面３１、３２の異常内容がリンクして判り易い。
【００６６】
上記実施例によれば、主中継器に異常が発生すると、その異常情報に該当する分類化代表表示（項目）がなされるので、そのため、異常内容を素早く特定することができ、どの交換部品を用意して持っていけばよいかを、迅速に認識することができ、メンテナンス性が向上する。
【００６７】
また、異常詳細一覧表示によって、異常の主中継器を特定し、現場まで駆けつけることができる。
【図面の簡単な説明】
【００６８】
【図１】本発明の実施例１である分散型火災報知システムＳＡ１を示す図である。
【図２】分散型火災報知システムＳＡ１に使用されている火災受信機ＲＥ１と、各種機器との接続を示す図である。
【図３】火災受信機ＲＥ１を示すブロック図である。
【図４】主中継器ＬＭ１を示すブロック図である。
【図５（１）】ＬＣＤ３０に表示されている代表異常表示の例を示す図である。
【図５（２）】ＬＣＤ３０に表示されている異常詳細一覧表示（システム監視一覧）を示す図である。
【図６】異常代表表示する項目と、異常代表表示する項目に対応する異常詳細箇所（異常内容）とを示す図である。
【図７】主中継器ＬＭ１、ＬＭ２において、異常情報に関する動作を示すフローチャートである。
【図８】実施例１における火災受信機ＲＥ１の動作を示すフローチャートである。
【図９】従来例における異常表示と、実施例１における異常表示とを比較して示す図である。
【図１０】システム監視一覧画面の変形例を示す図である。
【符号の説明】
【００６９】
ＳＡ１…分散型火災報知システム、
ＲＥ１…火災受信機、
ＬＭ１、ＬＭ２、ＬＭ３…主中継器、
ＴＧ０、ＴＧ１、ＴＧ２…端末機器群、
Ｌ１１…伝送線（ＬＡＮ幹線）、
Ｌ０、Ｌ１、Ｌ２…信号線、
ＤＧ０、ＤＧ１、ＤＧ２…メッセージ表示機群、
Ｂ５…ＮＩＵ基板（ホスト接続用基板）、
２０…ＭＣＵ基板、
３０…ＬＣＤ。
【図１】
2008234105.tif 000003
【図２】
2008234105.tif 000004
【図３】
2008234105.tif 000005
【図４】
2008234105.tif 000006
【図５（１）】
2008234105.tif 000007
【図５（２）】
2008234105.tif 000008
【図６】
2008234105.tif 000009
【図７】
2008234105.tif 000010
【図８】
2008234105.tif 000011
【図９】
2008234105.tif 000012
【図１０】
2008234105.tif 000013